【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
患者の搬送および訓練を行う装置であって、
ユーザを搬送するための移動シャーシと、
前記シャーシから上方に延びる支持構造体と、
前記支持構造体から延びる、当該装置を移動させるための少なくとも１のハンドルと、
足支持アセンブリとを備え、
前記足支持アセンブリが、作動時に振動する動力付きフットプレート部材を含むことを特徴とする装置。
【請求項２】
請求項１に記載の装置において、
動力付きリフト機構をさらに備え、当該動力付きリフト機構が、少なくとも１のリフトアームアセンブリと、前記少なくとも１のリフトアームアセンブリを昇降させるように動作するアクチュエータとを備え、前記少なくとも１のリフトアームアセンブリが、前記支持構造体から延びて、人を座った姿勢から起立姿勢に引き起こすのを補助することを特徴とする装置。
【請求項３】
請求項２に記載の装置において、
前記少なくとも１のリフトアームアセンブリが、少なくとも１のリフトアームおよびそれに接続されたユーザアーム支持体を備えることを特徴とする装置。
【請求項４】
請求項２に記載の装置において、
前記動力付きリフト機構のリフトアームアセンブリが、第１および第２のリフトアームを含み、これらリフトアームがともに、ユーザアーム支持体に回動可能に連結されていることを特徴とする装置。
【請求項５】
請求項４に記載の装置において、
前記第１および第２のリフトアームが、引き起こされる人から離れる使用時の方向に上向きに傾斜した位置から、前記ユーザアーム支持体が前記リフト機構により持ち上げられるときの実質的に水平な位置へと、前記ユーザアーム支持体を移動させるように配置されていることを特徴とする装置。
【請求項６】
請求項２乃至５の何れか一項に記載の装置において、
前記少なくとも１のリフトアームアセンブリが、第１および第２の軸の周りに回動可能であり、前記第１の軸は、実質的に固定され、かつ前記第２の軸よりも前記少なくとも１のリフトアームアセンブリの突出端からさらに離れており、使用時においては、作動装置が前記少なくとも１のリフトアームアセンブリを昇降することを特徴とする装置。
【請求項７】
請求項２乃至６の何れか一項に記載の装置において、
前記リフトアームアセンブリが、ユーザが係合できるユーザアーム支持体に連結されたハンドグリップをさらに含むことを特徴とする装置。
【請求項８】
請求項１乃至７の何れか一項に記載の装置において、
前記動力付きリフト機構が、引き起こされる人から離れる使用時の方向にほぼ上方に傾斜して延びるガイド経路を規定することを特徴とする装置。
【請求項９】
請求項８に記載の装置において、
前記ガイド経路が、直線状、曲線状、Ｓ字状または実質的にＳ字状であることを特徴とする装置。
【請求項１０】
請求項１乃至９の何れか一項に記載の装置において、
座った人を起立姿勢またはほぼ起立姿勢に持ち上げるのを少なくとも補助するために、前記リフト機構に接続可能なスリングが設けられていることを特徴とする装置。
【請求項１１】
請求項２乃至１０の何れか一項に記載の装置において、
前記動力付きリフト機構および／または前記足支持アセンブリを制御するための制御ユニットをさらに備えることを特徴とする装置。
【請求項１２】
請求項１乃至１１の何れか一項に記載の装置において、
前記少なくとも１のハンドルが、前記支持構造体の上端部またはその隣接位置に配置されていることを特徴とする装置。
【請求項１３】
請求項１乃至１２の何れか一項に記載の装置において、
前記支持構造体から横方向に延びて前記動力付きフットプレート部材の上方に延在する脚支持体をさらに備え、前記脚支持部材がユーザの脚の一部に当接するように構成されていることを特徴とする装置。
【請求項１４】
請求項１乃至１３の何れか一項に記載の装置において、
前記動力付きフットプレート部材が、当該装置に取り外し可能に連結されていることを特徴とする装置。
【請求項１５】
請求項１乃至１４の何れか一項に記載の装置において、
前記動力付きフットプレート部材が片持ち構造を有することを特徴とする装置。
【請求項１６】
請求項１乃至１５の何れか一項に記載の装置において、
前記動力付きフットプレート部材が、当該装置に移動可能に連結され、前記動力付きフットプレート部材が、ユーザを支持するために伸張される第１位置と、格納のために前記移動シャーシおよび／または支持構造体の空間内に後退する第２位置との間で移動可能となっていることを特徴とする装置。
【請求項１７】
請求項１乃至１６の何れか一項に記載の装置において、
前記動力付きフットプレート部材を駆動するためのモータが、前記支持構造体および／または移動シャーシによって部分的に規定される空間内に配置されていることを特徴とする装置。
【請求項１８】
請求項１乃至１６の何れか一項に記載の装置において、
前記足支持アセンブリが、フットプレートベースをさらに備え、前記動力付きフットプレート部材が、前記フットプレートベース上に配置されて前記フットプレートベースに連結されていることを特徴とする装置。
【請求項１９】
請求項１８に記載の装置において、
前記動力付きフットプレート部材を駆動するためのモータが、前記フットプレートベース、支持構造体および／または移動シャーシのうちの一つの中に少なくとも部分的に配置されていることを特徴とする装置。
【請求項２０】
請求項１８または１９に記載の装置において、
前記フットプレートベースが、前記フットプレート部材に取り外し可能に連結されていることを特徴とする装置。
【請求項２１】
請求項１８至２０の何れか一項に記載の装置において、
前記フットプレートベースが、１またはそれ以上の車輪を備えることを特徴とする装置。
【請求項２２】
請求項１３に記載の装置において、
前記脚支持体が非作動位置に格納可能であることを特徴とする装置。
【請求項２３】
請求項１至２２の何れか一項に記載の装置において、
前記足支持アセンブリが、単一または２の動力付きフットプレート部材を含むことを特徴とする装置。
【請求項２４】
請求項２３に記載の装置において、
前記装置が、共通または別個の駆動されるフットプレート部材を含むことを特徴とする装置。
【請求項２５】
請求項１至２４の何れか一項に記載の装置において、
ユーザの身長に適合するように前記支持構造体が調節されるように、前記支持構造体の長さが調節可能であることを特徴とする装置。
【請求項２６】
請求項１至２５の何れか一項に記載の装置において、
前記シャーシが、２つの平行または実質的に平行な脚部を含み、それぞれが各端部に隣接する車輪を支持し、前記脚部が、それらの前端よりも後端でより小さな距離だけ離間され、それにより、前記脚部の後端が椅子の脚または車椅子の内側を通ることが可能となっていることを特徴とする装置。
【請求項２７】
請求項１に記載の装置を使用する方法において、
ユーザの足が前記動力付きフットプレート部材上に配置されたときに、前記動力付きフットプレートを作動させて振動させるステップを含むことを特徴とする方法。
【請求項２８】
患者の搬送および訓練を行う装置を使用する方法であって、前記装置が、ユーザを搬送するための移動シャーシと、作動時に振動する動力付きフットプレート部材を含む足支持アセンブリとを備え、
前記方法が、ユーザの足が前記動力付きフットプレート部材上に配置されたときに、前記動力付きフットプレートを作動させて振動させるステップを含むことを特徴とする方法。
【請求項２９】
請求項２８に記載の方法において、
約５ヘルツと約４０ヘルツとの間の周波数で前記動力付きフットプレート部材を振動させるステップをさらに含むことを特徴とする方法。
【請求項３０】
請求項２８または２９に記載の方法において、
約１ｍｍと約５ｍｍとの間の振幅で前記動力付きフットプレート部材を振動させるステップをさらに含むことを特徴とする方法。
【請求項３１】
請求項２８または２９に記載の方法において、
前記動力付きフットプレート部材を、定常状態で振動させるか、または振動周波数および／または振幅を変化させるステップをさらに含むことを特徴とする方法。
【請求項３２】
請求項２８乃至３１の何れか一項に記載の方法において、
ユーザが前記装置に隣接する椅子に座り、ユーザの足が前記動力付きフットプレート部材上に位置し、前記動力付きフットプレート部材が振動しているときにユーザが前記装置のハンドグリップを掴んでいることを特徴とする方法。
【請求項３３】
請求項２８乃至３２の何れか一項に記載の方法において、
前記装置の動力付きリフト機構を使用して、ユーザを座った姿勢から起立姿勢に引き起こすステップをさらに含むことを特徴とする方法。
【請求項３４】
請求項３３に記載の方法において、
前記装置の脚支持体を格納するステップをさらに含み、前記脚支持体は、ユーザの脚に当接するとともに、ユーザが起立姿勢に引き起こされた後にユーザを座った姿勢から起立姿勢に引き起こすのを補助するように構成されていることを特徴とする方法。
【請求項３５】
請求項２８乃至３４の何れか一項に記載の方法において、
前記動力付きフットプレート部材が振動している間に、前記動力付きフットプレート部材の上に立つステップをさらに含むことを特徴とする方法。
【請求項３６】
請求項３５に記載の方法において、
ユーザの胴体の周りにスリングを固定することによって、前記動力付きフットプレート部材上に立つユーザを支持するステップをさらに含むことを特徴とする方法。
【請求項３７】
請求項３５または３６に記載の方法において、
ユーザが、振動する動力付きフットプレート部材上に立っている間に、前記装置のハンドグリップを把持することを特徴とする方法。
【請求項３８】
請求項３５に記載の方法において、
ユーザが、振動する動力付きフットプレート部材上に立っているときに、前記装置のいずれの部分にも支持されず、かつ前記装置のいずれの部分も把持しないことを特徴とする方法。
【請求項３９】
請求項２８乃至３８の何れか一項に記載の方法において、
ユーザが、振動する動力付きフットプレート部材上に立っている間に、移動装置を使用してユーザを搬送するステップをさらに含むことを特徴とする方法。